(57)【要約】      （修正有）【課題】被覆ＰＣ鋼撚り線において、光ファイバーを被覆する樹脂を容易に除去することができる光ファイバー取出し用装置を提供する。【解決手段】光ファイバー取出し用装置は、複数のＰＣ鋼線が撚り合わされたＰＣ鋼撚り線と、前記ＰＣ鋼撚り線の表面に前記ＰＣ鋼撚り線の撚り溝１４に沿って配置された光ファイバー１４Ａと、前記ＰＣ鋼撚り線及び前記光ファイバーを被覆し、表面に前記ＰＣ鋼撚り線の前記撚り溝に対応した溝部を備えた被覆樹脂とを有する被覆ＰＣ鋼撚り線２０を導入する導入口３１と、前記導入口から導入された前記被覆ＰＣ鋼撚り線の前記被覆樹脂を切削する切削部３３と、前記導入口と、前記切削部との間に配置され、前記導入口から導入された前記被覆ＰＣ鋼撚り線の、前記光ファイバーが配置された前記撚り溝である光ファイバー配置撚り溝が、前記切削部に対応した位置となるように調整する位置調整部３２と、を有する。【選択図】図３
2019101267.tif 000002
【特許請求の範囲】
【請求項１】
複数のＰＣ鋼線が撚り合わされたＰＣ鋼撚り線と、前記ＰＣ鋼撚り線の表面に前記ＰＣ鋼撚り線の撚り溝に沿って配置された光ファイバーと、前記ＰＣ鋼撚り線及び前記光ファイバーを被覆し、表面に前記ＰＣ鋼撚り線の前記撚り溝に対応した溝部を備えた被覆樹脂とを有する被覆ＰＣ鋼撚り線を導入する導入口と、
前記導入口から導入された前記被覆ＰＣ鋼撚り線の前記被覆樹脂を切削する切削部と、
前記導入口と、前記切削部との間に配置され、前記導入口から導入された前記被覆ＰＣ鋼撚り線の、前記光ファイバーが配置された前記撚り溝である光ファイバー配置撚り溝が、前記切削部に対応した位置となるように調整する位置調整部と、を有する光ファイバー取出し用装置。
【請求項２】
前記位置調整部は、前記被覆樹脂の前記溝部に接するガイド部材を有し、
前記ガイド部材は、前記位置調整部に導入された前記被覆ＰＣ鋼撚り線の長手方向と垂直な断面において、前記被覆ＰＣ鋼撚り線の外接円の直径方向に沿って伸縮することができる請求項１に記載の光ファイバー取出し用装置。
【請求項３】
前記ガイド部材がボールプランジャである請求項２に記載の光ファイバー取出し用装置。
【請求項４】
前記切削部が回転工具を有する請求項１〜請求項３のいずれか１項に記載の光ファイバー取出し用装置。
【請求項５】
前記回転工具が、エンドミル、ドリル、回転刃、及び砥石から選択された１種類以上である請求項４に記載の光ファイバー取出し用装置。
【請求項６】
前記切削部は、前記光ファイバー配置撚り溝を形成する２本のＰＣ鋼撚り線と接している場合において、前記光ファイバー配置撚り溝に配置された前記光ファイバー側の前記切削部の最先端部と、前記光ファイバーとの間に隙間を生じる形状を備えている請求項１〜請求項５のいずれか１項に記載の光ファイバー取出し用装置。
【請求項７】
前記切削部が前記被覆樹脂を切削する際に、前記被覆樹脂のうち少なくとも前記切削部が接している部分を加熱する加熱部をさらに有する請求項１〜請求項６のいずれか一項に記載の光ファイバー取出し用装置。
【請求項８】
前記被覆樹脂がエポキシ樹脂である請求項１〜請求項７のいずれか一項に記載の光ファイバー取出し用装置。
【請求項９】
複数のＰＣ鋼線が撚り合わされたＰＣ鋼撚り線と、前記ＰＣ鋼撚り線の表面に前記ＰＣ鋼撚り線の撚り溝に沿って配置された光ファイバーと、前記ＰＣ鋼撚り線及び前記光ファイバーを被覆し、表面に前記ＰＣ鋼撚り線の前記撚り溝に対応した溝部を備えた被覆樹脂とを有する被覆ＰＣ鋼撚り線を準備する被覆ＰＣ鋼撚り線準備工程と、
前記被覆ＰＣ鋼撚り線の長手方向の一方の端部を、前記被覆ＰＣ鋼撚り線の前記被覆樹脂を切削する切削部を備えた光ファイバー取出し用装置の導入口に導入する導入工程と、
前記導入口から導入された前記被覆ＰＣ鋼撚り線の、前記光ファイバーが配置された前記撚り溝である光ファイバー配置撚り溝が、前記切削部に対応した位置となるように、前記導入口と前記切削部との間に配置された位置調整部により調整する位置調整工程と、
前記切削部により、前記光ファイバー配置撚り溝に沿って前記被覆樹脂を切削する切削工程と、を有する光ファイバー取出し方法。
【請求項１０】
前記被覆ＰＣ鋼撚り線の前記一方の端部側を加熱する第１加熱工程をさらに有する請求項９に記載の光ファイバー取出し方法。
【請求項１１】
前記被覆ＰＣ鋼撚り線の前記一方の端部のうち、前記被覆ＰＣ鋼撚り線の長手方向と垂直な断面において、前記被覆ＰＣ鋼撚り線の外接円の円周方向に沿って、前記光ファイバー配置撚り溝に隣接する隣接撚り溝に押圧部材によって圧力を加え、前記隣接撚り溝を形成する２本のＰＣ鋼撚り線間に配置された前記被覆樹脂に亀裂を生じさせる亀裂導入工程をさらに有する請求項９または請求項１０に記載の光ファイバー取出し方法。
【請求項１２】
前記押圧部材は、ピン形状、または刃物形状を有する請求項１１に記載の光ファイバー取出し方法。
【請求項１３】
前記光ファイバー配置撚り溝と、前記隣接撚り溝との間に位置するＰＣ鋼線について、前記被覆ＰＣ鋼撚り線の前記一方の端部側の撚りを解き、前記光ファイバー配置撚り溝に配置された前記光ファイバーを取出す撚り解き・取出し工程をさらに有する請求項１１または請求項１２に記載の光ファイバー取出し方法。
【請求項１４】
前記位置調整部は、前記被覆樹脂の前記溝部に接するガイド部材を有し、
前記ガイド部材は、前記位置調整部に導入された前記被覆ＰＣ鋼撚り線の長手方向と垂直な断面において、前記被覆ＰＣ鋼撚り線の外接円の直径方向に沿って伸縮することができる請求項９〜請求項１３のいずれか１項に記載の光ファイバー取出し方法。
【請求項１５】
前記切削部が回転工具を有する請求項９〜請求項１４のいずれか１項に記載の光ファイバー取出し方法。
【請求項１６】
前記切削部が前記被覆樹脂を切削する際、前記被覆樹脂のうち少なくとも前記切削部が接している部分を加熱する第２加熱工程をさらに有する請求項９〜請求項１５のいずれか１項に記載の光ファイバー取出し方法。
【請求項１７】
前記被覆樹脂がエポキシ樹脂である請求項９〜請求項１６のいずれか１項に記載の光ファイバー取出し方法。
【発明の詳細な説明】
【技術分野】
【０００１】
本発明は、光ファイバー取出し用装置、光ファイバー取出し方法に関するものである。
【背景技術】
【０００２】
コンクリート構造体に設置し、コンクリート構造体に圧縮力を伝達することで、コンクリート構造体を補強する部材（緊張部材）として、ＰＣ（Ｐｒｅｓｔｒｅｓｓｅｄ  Ｃｏｎｃｒｅｔｅ（プレストレスト・コンクリート））鋼撚り線に代表される、ＰＣ鋼材が知られている。
【０００３】
ＰＣ鋼撚り線をコンクリート構造体に設置した場合に、コンクリート構造体内の応力状態等に起因してＰＣ鋼撚り線に対して力が加わると、ＰＣ鋼撚り線にひずみが生じる。そして、コンクリート構造体内の応力状態等によっては、補修等を要する場合があるため、ＰＣ鋼撚り線に生じたひずみにより、該ＰＣ鋼撚り線を設置したコンクリート構造体の状態を評価することが従来から行われていた。
【０００４】
また、ＰＣ鋼撚り線に加えている緊張力の変化によってもひずみを生じる場合があり、ＰＣ鋼撚り線を設置後、ＰＣ鋼撚り線のひずみを測定、解析することで、ＰＣ鋼撚り線に適切な緊張力がかかっているかを評価することも行われていた。
【０００５】
そこで、ＰＣ鋼撚り線に生じたひずみや、ひずみ分布の測定を行うため、ひずみセンサーとして用いられる光ファイバーをＰＣ鋼撚り線の長手方向に沿って配置した光ファイバー付きＰＣ鋼撚り線が知られている。そして、光ファイバー付きＰＣ鋼撚り線においては、ひずみ等を測定するため、光ファイバーの端部を測定用の外部機器と接続する必要がある。
【０００６】
そこで例えば、特許文献１には、光ファイバをＰＣ鋼材の全長に亘って設けたＰＣ鋼材の端末処理構造であって、上記光ファイバの端末に取り付けたコネクタと、そのコネクタを支持固定する柱状ケースとを有し、そのケースは上記ＰＣ鋼材に一端で同一軸上に嵌め込み固定されているＰＣ鋼材の端末処理構造が提案されている。
【先行技術文献】
【特許文献】
【０００７】
【特許文献１】特開２０１６−２１２１５３号公報
【発明の概要】
【発明が解決しようとする課題】
【０００８】
ところで、ＰＣ鋼撚り線の腐食等を防止するために、光ファイバー付きＰＣ鋼撚り線を樹脂で被覆し、被覆ＰＣ鋼撚り線としてから用いる場合がある。被覆ＰＣ鋼撚り線とした場合、上述のように光ファイバーの端部を測定用の外部機器と接続するためには、光ファイバーを被覆する樹脂を一部除去し、光ファイバーを取出す必要がある。
【０００９】
しかしながら、被覆ＰＣ鋼撚り線から、光ファイバーを被覆する樹脂を除去する方法はこれまで十分に検討されておらず、熟練した作業者が複数の切削工具を用いて被覆する樹脂を除去し、光ファイバーを取出していた。このため従来は、被覆ＰＣ鋼撚り線の、光ファイバーを被覆する樹脂を除去するためには作業者の技能を要し、また多くの作業時間を要していた。
【００１０】
本開示の目的は、被覆ＰＣ鋼撚り線において、光ファイバーを被覆する樹脂を容易に除去することができる光ファイバー取出し用装置を提供することである。
【課題を解決するための手段】
【００１１】
本実施形態の一観点によれば、複数のＰＣ鋼線が撚り合わされたＰＣ鋼撚り線と、前記ＰＣ鋼撚り線の表面に前記ＰＣ鋼撚り線の撚り溝に沿って配置された光ファイバーと、前記ＰＣ鋼撚り線及び前記光ファイバーを被覆し、表面に前記ＰＣ鋼撚り線の前記撚り溝に対応した溝部を備えた被覆樹脂とを有する被覆ＰＣ鋼撚り線を導入する導入口と、
前記導入口から導入された前記被覆ＰＣ鋼撚り線の前記被覆樹脂を切削する切削部と、
前記導入口と、前記切削部との間に配置され、前記導入口から導入された前記被覆ＰＣ鋼撚り線の、前記光ファイバーが配置された前記撚り溝である光ファイバー配置撚り溝が、前記切削部に対応した位置となるように調整する位置調整部と、を有する光ファイバー取出し用装置を提供する。
【発明の効果】
【００１２】
本開示によれば、被覆ＰＣ鋼撚り線において、光ファイバーを被覆する樹脂を容易に除去することができる光ファイバー取出し用装置を提供できる。
【図面の簡単な説明】
【００１３】
【図１】被覆ＰＣ鋼撚り線に含まれる光ファイバー付きＰＣ鋼撚り線の説明図である。
【図２】被覆ＰＣ鋼撚り線の長手方向と垂直な面での断面図である。
【図３】本開示の一態様に係る光ファイバー取出し用装置の説明図である。
【図４】図３のＢ−Ｂ´線での断面図である。
【図５】エンドミルの説明図である。
【図６】ドリルの説明図である。
【図７】回転刃の説明図である。
【図８】砥石の説明図である。
【図９】切削部の形状の一構成例の説明図である。
【図１０】押圧部材の一構成例の説明図である。
【図１１】押圧部材の他の構成例の説明図である。
【発明を実施するための形態】
【００１４】
実施するための形態について、以下に説明する。
【００１５】
［本開示の実施形態の説明］
最初に本開示の実施態様を列記して説明する。以下の説明では、同一または対応する要素には同一の符号を付し、それらについて同じ説明は繰り返さない。
【００１６】
（１）本開示の一態様に係る光ファイバー取出し用装置は、複数のＰＣ鋼線が撚り合わされたＰＣ鋼撚り線と、前記ＰＣ鋼撚り線の表面に前記ＰＣ鋼撚り線の撚り溝に沿って配置された光ファイバーと、前記ＰＣ鋼撚り線及び前記光ファイバーを被覆し、表面に前記ＰＣ鋼撚り線の前記撚り溝に対応した溝部を備えた被覆樹脂とを有する被覆ＰＣ鋼撚り線を導入する導入口と、
前記導入口から導入された前記被覆ＰＣ鋼撚り線の前記被覆樹脂を切削する切削部と、
前記導入口と、前記切削部との間に配置され、前記導入口から導入された前記被覆ＰＣ鋼撚り線の、前記光ファイバーが配置された前記撚り溝である光ファイバー配置撚り溝が、前記切削部に対応した位置となるように調整する位置調整部と、を有する。
【００１７】
本開示の一態様に係る光ファイバー取出し用装置は、位置調整部と切削部とを有している。そして、位置調整部により、被覆ＰＣ鋼撚り線の光ファイバーを配置した光ファイバー配置撚り溝が、切削部に対応した位置となるように調整するため、切削部により、光ファイバーを被覆する被覆樹脂を選択的、かつ容易に切削できる。
【００１８】
従って、本開示の一態様に係る光ファイバー取出し用装置によれば、被覆ＰＣ鋼撚り線において、光ファイバーを被覆する樹脂を容易に除去することができる。
【００１９】
（２）  前記位置調整部は、前記被覆樹脂の前記溝部に接するガイド部材を有し、
前記ガイド部材は、前記位置調整部に導入された前記被覆ＰＣ鋼撚り線の長手方向と垂直な断面において、前記被覆ＰＣ鋼撚り線の外接円の直径方向に沿って伸縮することができてもよい。
【００２０】
（３）  前記ガイド部材がボールプランジャであってもよい。
【００２１】
（４）  前記切削部は回転工具を有していてもよい。
【００２２】
（５）  前記回転工具が、エンドミル、ドリル、回転刃、及び砥石から選択された１種類以上であってもよい。
【００２３】
（６）  前記切削部は、前記光ファイバー配置撚り溝を形成する２本のＰＣ鋼撚り線と接している場合において、前記光ファイバー配置撚り溝に配置された前記光ファイバー側の前記切削部の最先端部と、前記光ファイバーとの間に隙間を生じる形状を備えていてもよい。
【００２４】
（７）  前記切削部が前記被覆樹脂を切削する際に、前記被覆樹脂のうち少なくとも前記切削部が接している部分を加熱する加熱部をさらに有していてもよい。
【００２５】
（８）  前記被覆樹脂がエポキシ樹脂であってもよい。
【００２６】
（９）  本開示の一態様に係る光ファイバー取出し方法は、複数のＰＣ鋼線が撚り合わされたＰＣ鋼撚り線と、前記ＰＣ鋼撚り線の表面に前記ＰＣ鋼撚り線の撚り溝に沿って配置された光ファイバーと、前記ＰＣ鋼撚り線及び前記光ファイバーを被覆し、表面に前記ＰＣ鋼撚り線の前記撚り溝に対応した溝部を備えた被覆樹脂とを有する被覆ＰＣ鋼撚り線を準備する被覆ＰＣ鋼撚り線準備工程と、
前記被覆ＰＣ鋼撚り線の長手方向の一方の端部を、前記被覆ＰＣ鋼撚り線の前記被覆樹脂を切削する切削部を備えた光ファイバー取出し用装置の導入口に導入する導入工程と、
前記導入口から導入された前記被覆ＰＣ鋼撚り線の、前記光ファイバーが配置された前記撚り溝である光ファイバー配置撚り溝が、前記切削部に対応した位置となるように、前記導入口と前記切削部との間に配置された位置調整部により調整する位置調整工程と、
前記切削部により、前記光ファイバー配置撚り溝に沿って前記被覆樹脂を切削する切削工程と、を有する。
【００２７】
本開示の一態様に係る光ファイバーの取出し方法は、位置調整工程と切削工程とを有している。そして、位置調整工程により、被覆ＰＣ鋼撚り線の光ファイバーを配置した光ファイバー配置撚り溝が、切削部に対応した位置となるように調整するため、切削工程において切削部により、光ファイバーを被覆する被覆樹脂を選択的、かつ容易に切削できる。従って、本開示の一態様に係る光ファイバー取出し方法によれば、被覆ＰＣ鋼撚り線において、光ファイバーを被覆する樹脂を選択的に、かつ容易に除去することができる。そして、光ファイバーを被覆する樹脂を除去した後、光ファイバーを容易に取り出すことができる。
【００２８】
（１０）  前記被覆ＰＣ鋼撚り線の前記一方の端部側を加熱する第１加熱工程をさらに有していてもよい。
【００２９】
（１１）  前記被覆ＰＣ鋼撚り線の前記一方の端部のうち、前記被覆ＰＣ鋼撚り線の長手方向と垂直な断面において、前記被覆ＰＣ鋼撚り線の外接円の円周方向に沿って、前記光ファイバー配置撚り溝に隣接する隣接撚り溝に押圧部材によって圧力を加え、前記隣接撚り溝を形成する２本のＰＣ鋼撚り線間に配置された前記被覆樹脂に亀裂を生じさせる亀裂導入工程をさらに有していてもよい。
【００３０】
（１２）  前記押圧部材は、ピン形状、または刃物形状を有していてもよい。
【００３１】
（１３）  前記光ファイバー配置撚り溝と、前記隣接撚り溝との間に位置するＰＣ鋼線について、前記被覆ＰＣ鋼撚り線の前記一方の端部側の撚りを解き、前記光ファイバー配置撚り溝に配置された前記光ファイバーを取出す撚り解き・取出し工程をさらに有していてもよい。
【００３２】
（１４）  前記位置調整部は、前記被覆樹脂の前記溝部に接するガイド部材を有し、
前記ガイド部材は、前記位置調整部に導入された前記被覆ＰＣ鋼撚り線の長手方向と垂直な断面において、前記被覆ＰＣ鋼撚り線の外接円の直径方向に沿って伸縮することができてもよい。
【００３３】
（１５）  前記切削部が回転工具を有していてもよい。
【００３４】
（１６）  前記切削部が前記被覆樹脂を切削する際、前記被覆樹脂のうち少なくとも前記切削部が接している部分を加熱する第２加熱工程をさらに有していてもよい。
【００３５】
（１７）  前記被覆樹脂がエポキシ樹脂であってもよい。
【００３６】
［本開示の実施形態の詳細］
本開示の一実施形態（以下「本実施形態」と記す）に係る光ファイバー取出し用装置、光ファイバー取出し方法の具体例を、以下に図面を参照しつつ説明する。なお、本発明はこれらの例示に限定されるものではなく、特許の請求の範囲によって示され、特許請求の範囲と均等の意味および範囲内での全ての変更が含まれることが意図される。
【００３７】
〔光ファイバー取出し用装置〕
以下、本実施形態に係る光ファイバー取出し用装置について図１〜図９を用いて説明する。
【００３８】
本実施形態に係る光ファイバー取出し用装置は、導入口と、切削部と、位置調整部とを有することができる。
【００３９】
導入口は、光ファイバー取出し用装置に被覆ＰＣ鋼撚り線を導入するための開口部となる。被覆ＰＣ鋼撚り線は、複数のＰＣ鋼線が撚り合わされたＰＣ鋼撚り線と、ＰＣ鋼撚り線の表面にＰＣ鋼撚り線の撚り溝に沿って配置された光ファイバーと、被覆樹脂とを有する。なお、被覆樹脂は、ＰＣ鋼撚り線及び光ファイバーを被覆し、表面にＰＣ鋼撚り線の撚り溝に対応した溝部を備えている。
【００４０】
切削部は、導入口から導入された被覆ＰＣ鋼撚り線の被覆樹脂を切削することができる。
【００４１】
位置調整部は、導入口と、切削部との間に配置され、導入口から導入された被覆ＰＣ鋼撚り線の光ファイバーが配置された撚り溝である光ファイバー配置撚り溝が、切削部に対応した位置となるように調整することができる。
（被覆ＰＣ鋼撚り線）
本実施形態の光ファイバー取出し用装置の具体的な構成を説明する前に、本実施形態の光ファイバー取出し用装置に供給し、光ファイバーを被覆する被覆樹脂を除去する被覆ＰＣ鋼撚り線の構成例について説明する。
【００４２】
図１は、被覆ＰＣ鋼撚り線に含まれる、ＰＣ鋼撚り線と、光ファイバーとの配置、構成が分かり易いように、被覆樹脂により被覆する前の、ＰＣ鋼撚り線と、光ファイバーとにより構成された光ファイバー付きＰＣ鋼撚り線１０の斜視図を示している。なお、該光ファイバー付きＰＣ鋼撚り線の、ＰＣ鋼撚り線及び光ファイバーを被覆樹脂により被覆することで、被覆ＰＣ鋼撚り線となる。
【００４３】
図２は、被覆ＰＣ鋼撚り線の長手方向と垂直な面での断面図を示している。図２に示した被覆ＰＣ鋼撚り線２０は、図１に示した光ファイバー付きＰＣ鋼撚り線１０と被覆樹脂の有無以外は同じ構造となっており、同じ部材には同じ番号を付している。
【００４４】
被覆ＰＣ鋼撚り線を構成する各部材について図１、図２を用いて説明する。
（１）ＰＣ鋼撚り線
被覆ＰＣ鋼撚り線２０に含まれる光ファイバー付きＰＣ鋼撚り線１０は、鋼製の素線であるＰＣ鋼線１１１を複数本撚り合わせたＰＣ鋼撚り線１１を有する。ＰＣ鋼撚り線１１を構成する各ＰＣ鋼線１１１は、被覆ＰＣ鋼撚り線２０をコンクリート構造体等に設置した場合に、緊張力を負担する。
【００４５】
ＰＣ鋼撚り線１１を構成するＰＣ鋼線１１１の本数は特に限定されるものではなく、被覆ＰＣ鋼撚り線の使用形態（内ケーブルや外ケーブル）などに応じて選択することができ、７本、１９本などが挙げられる。ＰＣ鋼線１１１の本数が７本の場合、ＰＣ鋼撚り線１１の構造は、図１、図２に示すように、１本の中心素線となるＰＣ鋼線１１１Ａの外周に、６本の外周素線となるＰＣ鋼線１１１Ｂが螺旋状に撚られた１層撚りの構造とすることができる。この場合、外周素線となるＰＣ鋼線１１１ＢがＰＣ鋼撚り線１１の最外周に位置することになる。図１、図２では、中心素線となるＰＣ鋼線１１１Ａと、外周素線となるＰＣ鋼線１１１Ｂとして、同じ径のＰＣ鋼線を用いた例を示しているが、係る形態に限定されない。例えば中心素線となるＰＣ鋼線１１１Ａの径と、外周素線となるＰＣ鋼線１１１Ｂの径が異なっていてもよい。
【００４６】
一方、ＰＣ鋼線の数が１９本の場合、ＰＣ鋼撚り線の構造は、図示は省略するが、１本の中心素線となるＰＣ鋼線に対して内側から順に内周素線となるＰＣ鋼線、及び外周素線となるＰＣ鋼線が螺旋状に撚られた２層撚り構造とすることができる。代表的には内周素線と外周素線の本数の組み合わせが異なる２つのタイプがある。
【００４７】
具体的には、１本の中心素線と９本の内周素線と９本の外周素線とで構成されるタイプと、１本の中心素線と６本の内周素線と１２本の外周素線とで構成されるタイプとがある。前者のタイプでは、中心素線と外周素線は、同等の径のＰＣ鋼線で構成でき、内周素線は、中心素線よりも径の小さいＰＣ鋼線で構成できる。
【００４８】
後者のタイプでは、中心素線と内周素線は、同等の径のＰＣ鋼線で構成できる。外周素線は、中心素線と同等の径のＰＣ鋼線と、それよりも径の小さいＰＣ鋼線とを交互に配置して構成できる。
【００４９】
図２に示すようにＰＣ鋼撚り線１１には、隣接する２本の外周素線となるＰＣ鋼線１１１Ｂの間に形成される谷である凹部領域１２や、隣接し合う３本のＰＣ鋼線１１１に囲まれた空間である内部空隙１３などの空間が形成される。これらの凹部領域１２や、内部空隙１３は、ＰＣ鋼撚り線１１の長手方向に沿って連続する撚り溝１４、すなわち隣接する２本のＰＣ鋼線１１１間に、隣接する２本のＰＣ鋼線１１１の表面によって形成される溝により構成される。そして、凹部領域１２や、内部空隙１３、撚り溝１４は、中心軸Ａを中心とし、ＰＣ鋼撚り線１１の長手方向に沿って延在した螺旋形状を有する。
【００５０】
なお、図１、図２に示すようにＰＣ鋼撚り線１１が１層撚り構造の場合、すなわちＰＣ鋼線の数が７本の場合、内部空隙１３は、中心素線となるＰＣ鋼線１１１Ａと２本の外周素線となるＰＣ鋼線１１１Ｂとの間に形成される。
【００５１】
また、ＰＣ鋼撚り線が２層撚り構造の場合、すなわちＰＣ鋼線の数が１９本の場合、内部空隙は、中心素線と２本の内周素線の間、１本の内周素線と２本の外周素線との間、２本の内周素線と１本の外周素線との間に形成される。
（２）光ファイバー
被覆ＰＣ鋼撚り線２０は、光ファイバー１５を有することができる。
【００５２】
光ファイバー１５は、ＰＣ鋼撚り線１１の表面に、撚り溝１４に沿って配置することができる。すなわち、ＰＣ鋼撚り線１１の凹部領域１２に沿って配置することができる。
【００５３】
光ファイバー１５は、図２に示すように、隣接する２本のＰＣ鋼線１１１Ｂの表面と、係る隣接する２本のＰＣ鋼線１１１Ｂの共通接線Ｌと、で囲まれた領域内に配置することが好ましい。
【００５４】
光ファイバー１５を、隣接する２本のＰＣ鋼線１１１Ｂの表面と、隣接する２本のＰＣ鋼線１１１Ｂの共通接線Ｌとで囲まれた領域内に配置することで、特にＰＣ鋼線１１１Ｂの近傍に配置することができ、ＰＣ鋼撚り線１１の伸縮に追従させ易くなる。このため、光ファイバーを用いてひずみや、ひずみ分布等を測定する場合に、特に精度良く測定できるからである。また、係る領域内に配置することで、被覆樹脂によって、より確実に固定することができるため好ましい。
【００５５】
光ファイバー１５は、図２に示すように撚り溝１４を形成する隣接する２本のＰＣ鋼線１１１Ｂと接するように配置することがより好ましい。これは、光ファイバー１５を、撚り溝１４を形成する、隣接する２本のＰＣ鋼線１１１Ｂと接するように配置することで、光ファイバー１５を撚り溝１４のうちの最深部に配置することができる。このため、被覆樹脂を切削する際に、切削部により光ファイバー１５を損傷することをより確実に防ぐことができ、好ましいからである。
【００５６】
なお、以下、ＰＣ鋼撚り線１１の、光ファイバー１５が配置された撚り溝１４を光ファイバー配置撚り溝１４Ａとして、他の撚り溝１４と区別して表記する場合がある。
【００５７】
図２では、被覆ＰＣ鋼撚り線２０が、光ファイバー１５を１本有する例を示しているが、係る形態に限定されるものではない。本実施形態の被覆ＰＣ鋼撚り線は、２本以上の複数本の光ファイバーを有することもできる。この場合、複数本の光ファイバーの配置は特に限定されず、例えば同じ撚り溝１４に複数本の光ファイバーを配置することもできる。また、異なる複数の撚り溝１４にそれぞれ光ファイバーを配置することもできる。
【００５８】
光ファイバーとしては、コアとクラッドとで構成されるものを好適に利用できる。コアとクラッドの材質は、プラスチックや石英ガラスが挙げられる。光ファイバーとしては、クラッドの外周に一次被覆を備える光ファイバー素線や、更に二次被覆を備える光ファイバー芯線、更に二次被覆の外周に補強材と補強材の外周を覆う外被とを備える光ファイバーコードなどが利用できる。一次被覆の材質は、例えば、紫外線硬化型樹脂が挙げられる。二次被覆の材質は、例えば、難燃性ポリエステルエラストマーなどが挙げられる。補強材の材質は、例えば、ガラス繊維、炭素繊維、アラミド繊維などが挙げられる。外被の材質は、難燃性ポリエチレンなどの難燃性ポリオレフィンや、難燃性架橋ポリエチレンなどの難燃性架橋ポリオレフィン、耐熱ビニルなどが挙げられる。
（３）被覆樹脂
図２に示すように、本実施形態の被覆ＰＣ鋼撚り線２０は、被覆樹脂２１を有することができる。
【００５９】
被覆樹脂２１は、ＰＣ鋼撚り線１１や、光ファイバー１５を外部環境から保護してＰＣ鋼撚り線１１の腐食を抑制する。被覆樹脂２１は、ＰＣ鋼撚り線１１の外周を被覆する外周部２１１を有することができる。外周部２１１は、ＰＣ鋼撚り線１１の外周輪郭に沿った表面を有し、その表面におけるＰＣ鋼撚り線１１の撚り溝１４に対応した位置に溝部２２を有することが好ましい。溝部２２は撚り溝１４に沿って形成された凹部とすることができ、中心軸Ａを中心とし、被覆ＰＣ鋼撚り線２０の長手方向に沿って延在した螺旋形状を有することができる。なお、被覆樹脂２１の外周部２１１は、ＰＣ鋼撚り線１１の外周輪郭に沿って形成されている。このため、ＰＣ鋼撚り線１１の中心軸と、被覆ＰＣ鋼撚り線２０の中心軸とは同じ中心軸Ａで表すことができる。
【００６０】
被覆樹脂２１は、各ＰＣ鋼線１１１の間、すなわち内部空隙１３に充填される充填部２１２を有していることが好ましい。充填部２１２を有することで、ＰＣ鋼撚り線１１の隙間に水分などが侵入することを抑制でき、ＰＣ鋼撚り線１１の腐食をより一層抑制し易い。
【００６１】
充填部２１２を備える場合、外周部２１１と充填部２１２とは同一材質で一連に形成されていることが好ましい。
【００６２】
被覆樹脂２１の材質は、特に限定されないが、例えば耐食性に優れる樹脂を好ましく用いることができる。そのような樹脂としては、例えば、エポキシ樹脂、ポリエチレン樹脂などが挙げられる。特にエポキシ樹脂は耐食性能が高いものの、その反面除去することが困難であった。一方、本実施形態の光ファイバー取出し用装置によれば、被覆樹脂がエポキシ樹脂であっても容易に除去でき、特に高い効果を発揮できることから、被覆樹脂は、エポキシ樹脂であることが好ましい。
【００６３】
被覆ＰＣ鋼撚り線２０は、例えば以下の手順により製造できる。
【００６４】
例えばまず、ＰＣ鋼撚り線１１と、光ファイバー１５とを用意し、隣接する２本の外周素線となるＰＣ鋼線１１１Ｂの間の撚り溝１４に光ファイバー１５を配置することで光ファイバー付きＰＣ鋼撚り線を形成する（光ファイバー配置工程）。  
次いで、光ファイバー付きＰＣ鋼撚り線の外周側から溶融状態の被覆樹脂の構成樹脂を押し出すことで、被覆樹脂を形成することができる（被覆樹脂形成工程）。
（光ファイバー取出し用装置）
次に、本実施形態の光ファイバー取出し用装置の構成例について説明する。
【００６５】
本発明の発明者らは、被覆ＰＣ鋼撚り線の被覆樹脂を除去し、光ファイバーを取出すための装置、方法について鋭意検討を行った。
【００６６】
当初、被覆ＰＣ鋼撚り線の端部をアセトン等の有機溶剤に浸し、膨潤させる方法を検討したが、光ファイバーを覆う被覆樹脂を選択的に除去することはできず、また膨潤に多くの時間を要し、容易に除去できないという問題点があった。
【００６７】
また、グラインダーにより被覆樹脂を除去することも検討したが、上述のように光ファイバーを配置した光ファイバー配置撚り溝１４Ａは、中心軸Ａを中心とし、ＰＣ鋼撚り線１１の長手方向に沿って延在した螺旋形状を有する。このため、係る形状にあわせて被覆樹脂を選択的に研削し、除去することは困難であった。
【００６８】
そこで更なる検討を行い、本実施形態の光ファイバー取出し用装置を完成させた。以下に具体的に説明する。
【００６９】
図３に本実施形態の光ファイバー取出し用装置の概略図を示す。なお、図３は、光ファイバー取出し用装置３０に被覆ＰＣ鋼撚り線２０を導入した際の被覆ＰＣ鋼撚り線２０の中心軸Ａ、及び光ファイバー取出し用装置の切削部３３を通る面での光ファイバー取出し用装置３０の断面図を模式的に示している。図３においては説明のため、被覆ＰＣ鋼撚り線２０に関して、本来は被覆樹脂で覆われて見えない撚り溝１４のうち、光ファイバー配置撚り溝１４Ａの位置も併せて示している。
【００７０】
図３に示すように、本実施形態の光ファイバー取出し用装置３０は、導入口３１と、位置調整部３２と、切削部３３とを有する。
各部材について以下に説明する。
（１）導入口
導入口３１は光ファイバー取出し用装置３０に対して既述の被覆ＰＣ鋼撚り線２０を導入するための開口部となっている。導入口３１の構成は特に限定されず、被覆ＰＣ鋼撚り線を導入できるように、そのサイズ、形状を選択することができる。例えば円形形状の開口部とすることができ、その直径は、被覆ＰＣ鋼撚り線２０の長手方向と垂直な断面における、被覆ＰＣ鋼撚り線２０の外接円２０１（図２を参照）の直径よりも大きくなるように設定することができる。
【００７１】
なお、導入口３１から導入した被覆ＰＣ鋼撚り線２０を装置外に取出すため、取出し口３４も併せて設けておくことができる。取出し口３４についても、導入口３１の場合と同様に、その構成は特に限定されず、被覆ＰＣ鋼撚り線を取出せるように、そのサイズ、形状を選択することができる。例えば円形形状の開口部とすることができ、その直径は、被覆ＰＣ鋼撚り線２０の長手方向と垂直な断面における、被覆ＰＣ鋼撚り線２０の外接円２０１（図２を参照）の直径よりも大きくなるように設定することができる。
（２）位置調整部
導入口３１から導入された被覆ＰＣ鋼撚り線２０は、位置調整部３２内に導入される。位置調整部３２は、導入口３１から導入された被覆ＰＣ鋼撚り線２０の光ファイバー配置撚り溝１４Ａが、切削部３３に対応した位置となるように調整することができる。
【００７２】
図１に示したように、光ファイバー配置撚り溝を含む撚り溝１４は、中心軸Ａを中心とし、ＰＣ鋼撚り線１１の長手方向に沿って延在した螺旋形状を有する。このため、光ファイバー配置撚り溝１４Ａに沿って被覆樹脂を切削するためには、切削部により被覆樹脂を切削する位置（切削位置）を光ファイバー配置撚り溝１４Ａの螺旋形状にあわせて移動させる必要がある。しかしながら、例えば手作業で、切削部により被覆樹脂を切削しながら、該切削部を光ファイバー配置撚り溝１４Ａの形状にあわせて移動させることは技能を要し、困難である。一方、本実施形態の光ファイバー取出し用装置では、上述のように位置調整部３２により、被覆ＰＣ鋼撚り線２０の光ファイバー配置撚り溝１４Ａが切削部３３に対応した位置となるように調整することができる。このため、切削部により光ファイバーを被覆する被覆樹脂を選択的、かつ容易に除去できる。
【００７３】
位置調整部３２は、導入口から導入された被覆ＰＣ鋼撚り線２０の光ファイバー配置撚り溝１４Ａを、切削部３３に対応した位置に調整可能に構成されていればよく、その具体的な構成は特に限定されない。
【００７４】
位置調整部３２の構成例について、図４を用いて説明する。図４は図３のＢ−Ｂ´線での断面図を模式的に示している。なお、被覆ＰＣ鋼撚り線２０については既に説明したため、図４中の被覆ＰＣ鋼撚り線２０については番号を一部省略している。
【００７５】
図４に示すように、位置調整部３２は、例えば被覆ＰＣ鋼撚り線２０の、被覆樹脂２１の溝部２２に接するガイド部材４２を有することが好ましい。
【００７６】
図２を用いて説明したように、被覆ＰＣ鋼撚り線２０の溝部２２は、ＰＣ鋼撚り線１１の表面の撚り溝１４に対応した位置に形成されている。このため、被覆ＰＣ鋼撚り線２０の溝部２２は、撚り溝１４と同様に、中心軸Ａを中心とし、被覆ＰＣ鋼撚り線２０の長手方向に沿って延在した螺旋形状を有する。
【００７７】
従って、ガイド部材４２が上記溝部２２に接した状態で、光ファイバー取出し用装置３０を被覆ＰＣ鋼撚り線２０の長手方向に沿って移動させると、溝部２２の被覆ＰＣ鋼撚り線２０の外周での位置の変化に応じて、ガイド部材４２と接続された光ファイバー取出し用装置３０が回転する。具体的には図３に示したように中心軸Ａを回転軸として、被覆ＰＣ鋼撚り線２０の外接円の円周方向に沿って、すなわち図３中の両矢印３７のいずれかの向きに光ファイバー取出し用装置３０が回転する。このため、光ファイバー取出し用装置３０に設置された切削部３３の、被覆ＰＣ鋼撚り線２０と接する箇所も同様に、溝部２２に沿って移動することになる。
【００７８】
そして、溝部２２は、被覆ＰＣ鋼撚り線２０の光ファイバーを配置した光ファイバー配置撚り溝１４Ａに沿って配置されている。このため、切削部３３が光ファイバー配置撚り溝１４Ａに沿って、被覆樹脂を切削できるように位置を予め調整しておき、光ファイバー取出し用装置３０を上述のように移動させるのみで、光ファイバー配置撚り溝１４Ａを切削部３３に対応した位置に調整できる。すなわち、切削部により被覆樹脂を切削する位置（切削位置）を光ファイバー配置撚り溝１４Ａの螺旋形状にあわせて移動させることができる。
【００７９】
以上のように、位置調整部３２がガイド部材４２を有することで、容易に被覆ＰＣ鋼撚り線２０の光ファイバー配置撚り溝１４Ａを、切削部３３に対応した位置に調整することができるため好ましい。
【００８０】
なお、ここでは光ファイバー取出し用装置３０を移動させる場合を例に説明したが、光ファイバー取出し用装置３０を固定しておき、被覆ＰＣ鋼撚り線２０を、光ファイバー取出し用装置の導入口３１から取出し口３４に向かって搬送し、移動させてもよい。この場合、被覆ＰＣ鋼撚り線２０の溝部２２にガイド部材４２が接しているため、被覆ＰＣ鋼撚り線２０は、中心軸Ａを回転軸として、被覆ＰＣ鋼撚り線２０の外接円２０１の円周方向、すなわち図３中の両矢印３７のいずれかの向きに回転する。このため、切削部３３が光ファイバー配置撚り溝１４Ａに沿って、被覆樹脂を切削できるように位置を予め調整しておき、被覆ＰＣ鋼撚り線２０を上述のように移動させるのみで、光ファイバー配置撚り溝１４Ａを切削部３３に対応した位置に調整できる。
【００８１】
ガイド部材４２は、位置調整部３２に供給された被覆ＰＣ鋼撚り線２０の溝部２２に接するように配置すればよく、位置調整部３２におけるガイド部材４２の配置場所は特に限定ない。
【００８２】
位置調整部３２は、例えば導入口３１と、切削部３３が配置された切削室３６との間を接続し、その内部に被覆ＰＣ鋼撚り線２０を通す連通孔４１を有することができる。そして、ガイド部材４２は、連通孔４１の内壁に固定しておくことができる。なお、図４では連通孔４１の断面形状を円形としているが、被覆ＰＣ鋼撚り線２０を通すことができるようにそのサイズ、形状を選択しておけばよく、係る形状に限定されるものではない。例えば、連通孔４１の断面形状を四角形等他の形状とすることもできる。
【００８３】
ガイド部材４２の数も特に限定されないが、光ファイバー取出し用装置や、被覆ＰＣ鋼撚り線を移動させた場合に、溝部２２の形状に沿って、光ファイバー取出し用装置や、被覆ＰＣ鋼撚り線を回転させ易いように複数個のガイド部材を設けることが好ましい。
【００８４】
例えば、図４に示すように連通孔４１内の対向する位置に２個のガイド部材４２を配置することができる。また、３個以上のガイド部材を配置することもできる。
【００８５】
なお、ここでは、Ｂ−Ｂ´線の断面でのガイド部材の配置例を示しているが、図３中の被覆ＰＣ鋼撚り線２０の長手方向に沿って、複数個のガイド部材を配置することもできる。
【００８６】
ガイド部材４２は形状や、構造は特に限定されず、被覆ＰＣ鋼撚り線２０の被覆樹脂の溝部２２に接するように選択することができる。ガイド部材４２は、例えば板状体や、棒状体、球状体等とすることができる。
【００８７】
ただし、ガイド部材４２は、位置調整部３２に導入された被覆ＰＣ鋼撚り線２０の長手方向と垂直な断面において、被覆ＰＣ鋼撚り線２０の外接円２０１の直径方向に沿って伸縮できることが好ましい。
【００８８】
図４に示したガイド部材４２の場合、被覆ＰＣ鋼撚り線２０の外接円２０１の直径方向に当たる、図中に示した両矢印４３に沿って伸縮可能に構成されていることが好ましい。溝部２２は被覆樹脂の表面であるため微細な凹凸を含む場合がある。このため、ガイド部材４２を上述のように伸縮可能に構成することで、係る凹凸に追従することができ、光ファイバー取出し用装置、または被覆ＰＣ鋼撚り線を移動させる際に、係る凹凸による抵抗を低減し、容易に移動させることができるからである。
【００８９】
ガイド部材４２を伸縮可能な部材とする場合、ガイド部材はボールプランジャとすることが好ましい。
【００９０】
ボールプランジャは、図４に示したようにコイルばね４２１と、先端に設けられたボール４２２とを備えた構造を有する。ボールプランジャは、先端部がボール４２２であり、さらにその位置をコイルばね４２１により変位させることができるため、溝部２２の微細な凹凸に特に追従し易くなり好ましい。
（４）切削部
そして、本実施形態の光ファイバー取出し用装置３０は、切削部３３を有することができる。切削部３３は、導入口３１から導入された被覆ＰＣ鋼撚り線２０の被覆樹脂２１を切削することができる。特に既述の位置調整部３２と組み合わせて用いることで、光ファイバー１５が配置された光ファイバー配置撚り溝１４Ａに沿って被覆樹脂２１を切削することができる。
【００９１】
切削部３３は、被覆樹脂を切削できる部材であれば良く、その具体的な構成は特に限定されるものではない。ただし、切削部としては、既述のように螺旋形状を有する光ファイバー配置撚り溝１４Ａに沿って連続的に被覆樹脂を切削できる部材であることが好ましく、例えば回転工具や、彫刻刀などを好適に用いることができる。切削部として彫刻刀を用いる場合、より容易に被覆樹脂を切削できるように彫刻刀に振動を加える振動機構も併せて有することが好ましい。
【００９２】
切削部は回転工具を有することがより好ましい。これは、回転工具は切削能力が高く、特に容易に被覆樹脂を除去できるからである。
【００９３】
回転工具としては特に限定されないが、例えばエンドミル、ドリル、回転刃、及び砥石から選択された１種類以上を好ましく用いることができる。これらの回転工具は比較的容易に入手することができ、また切削能力が高いため容易に被覆樹脂を除去できるからである。
【００９４】
エンドミルは側面刃と先端刃とを有する。従って、エンドミルの先端刃により穴を形成し、削り込むこと等ができる。また、エンドミルの側面刃を使用することによって被切削物に形成された穴の側面を削り広げることができる。
【００９５】
エンドミルの形状は特に限定されないが、光ファイバー配置撚り溝１４Ａに対応した形状を有することが好ましい。例えば図５に示したエンドミル５０のように、先端刃５１が球状のボールエンドミルを好ましく用いることができる。
【００９６】
エンドミルにより被覆樹脂を切削する場合、先端刃５１を、光ファイバー配置撚り溝を覆う被覆樹脂に押し当てた状態で、中心軸５２を回転軸としてエンドミル５０を回転させることで切削することができる。そして、既述の位置調整部３２により、被覆ＰＣ鋼撚り線２０の光ファイバー配置撚り溝１４Ａを、切削部３３のエンドミルに対応した位置に調整しながら、切削位置を移動させることで、光ファイバー配置撚り溝１４Ａに沿って被覆樹脂を切削できる。
【００９７】
また、ドリルは、切削を行う部材であるドリルビットを有している。図６にドリルビットの構成例を示す。ドリルにより被覆樹脂を切削する場合、ドリルビット６０の先端刃６１で被覆樹脂を切削することができる。ドリルビットの形状は特に限定されないが、例えば先端刃６１が球状であることが好ましい。
【００９８】
ドリルにより被覆樹脂を切削する場合、先端刃６１を、光ファイバー配置撚り溝を覆う被覆樹脂に押し当てた状態で、中心軸６２を回転軸としてドリルビット６０を回転させることで切削することができる。そして、既述の位置調整部３２により、被覆ＰＣ鋼撚り線２０の光ファイバー配置撚り溝１４Ａを、切削部３３のドリルビットに対応した位置に調整しながら、切削位置を移動させることで、光ファイバー配置撚り溝１４Ａに沿って被覆樹脂を切削できる。
【００９９】
図７に示すように回転刃７０は円板形状を有しており、その外周側面には切削用の刃７１が配置されている。
【０１００】
回転刃により被覆樹脂を切削する場合、回転刃７０の外周側面、すなわち刃７１の先端部を、光ファイバー配置撚り溝を覆う被覆樹脂に押し当てた状態で、回転穴７２を中心として回転刃７０を回転させることで切削することができる。そして、既述の位置調整部３２により、被覆ＰＣ鋼撚り線２０の光ファイバー配置撚り溝１４Ａを、切削部３３の回転刃に対応した位置に調整しながら、切削位置を移動させることで、光ファイバー配置撚り溝１４Ａに沿って被覆樹脂を切削できる。
【０１０１】
図８に示すように砥石８０は円板形状を有することができる。
【０１０２】
砥石により被覆樹脂を切削する場合、砥石８０の側面８１を、光ファイバー配置撚り溝を覆う被覆樹脂に押し当てた状態で、回転穴８２を中心として砥石８０を回転させることで切削することができる。そして、既述の位置調整部３２により、被覆ＰＣ鋼撚り線２０の光ファイバー配置撚り溝１４Ａを、切削部３３の砥石に対応した位置に調整しながら、切削位置を移動させることで、光ファイバー配置撚り溝１４Ａに沿って被覆樹脂を切削できる。
【０１０３】
切削部の形状は、切削部の種類や、光ファイバー配置撚り溝の形状等に応じて選択でき特に限定されない。
【０１０４】
ただし、図９に示すように切削部３３は、光ファイバー配置撚り溝１４Ａを形成する２本のＰＣ鋼線１１１Ｂと接している場合に、切削部３３の光ファイバー１５側の最先端部３３１と、光ファイバー１５との間に隙間９１が生じる形状を備えていることが好ましい。より具体的には、上述の場合に、切削部３３の光ファイバー１５側の最先端部３３１と、光ファイバー１５の切削部３３側の上端部１５１との間に距離があり、切削部３３と、光ファイバー１５とが接しない形状を備えていることが好ましい。
【０１０５】
切削部３３が２本のＰＣ鋼線１１１Ｂと接している場合、切削部３３は、光ファイバー配置撚り溝１４Ａにそれ以上挿入できない状態になっている。このため、係る状態で、光ファイバー１５との間に隙間９１が生じる形状の場合、切削を行う際に光ファイバー１５を誤って損傷する恐れが無く、好ましい。
【０１０６】
なお、本実施形態の光ファイバー取出し用装置によれば、光ファイバー配置撚り溝に配置されている光ファイバーを覆う被覆樹脂の一部を除去できれば足りる。このため、上述の様に切削部３３と、光ファイバー１５との間に隙間が生じていても良い。
【０１０７】
切削部３３は１つの切削工具を有する形態に限定されず、２以上の切削工具を組み合わせて用いることもできる。例えば、切削部３３は、エンドミルと、砥石とを有することもでき、エンドミルで切削した後をさらに砥石で精密に切削することもできる。ただし、切削部３３が複数の切削工具を有することで光ファイバー取出し用装置が大型化する恐れもあることから、切削部３３は１つの切削工具を有することが好ましい。
【０１０８】
切削部３３は、例えば図３に示したように、位置調整部３２に接続された切削室３６を設け、該切削室３６の壁等に固定しておくことができる。切削室３６を設けることで、切削屑が周囲に飛散等することを抑制できる。なお、切削室３６には切削屑を吸引するため、図示しない吸引機構等を接続しておくこともできる。
【０１０９】
ここまで、本実施形態の光ファイバー取出し用装置の構成例について説明したが、本実施形態の光ファイバー取出し用装置は、上述の導入口、位置調整部、切削部以外にも任意の部材を有することができる。
（５）加熱部
本実施形態の光ファイバー取出し用装置３０は、加熱部３５をさらに有することもできる。加熱部３５は、切削部３３が被覆樹脂を切削する際に、被覆樹脂のうち少なくとも切削部が接している部分を加熱することができる。
【０１１０】
加熱部３５は、被覆樹脂のうち少なくとも切削部が接している部分を加熱できる部材であればよく、具体的な構成は特に限定されるものではない。加熱部には、例えば電熱線ヒーター等の抵抗加熱装置や、ランプ、誘電加熱装置等から選択された１種類以上を用いることができる。
【０１１１】
加熱部３５により被覆樹脂のうち少なくとも切削部が接している部分を加熱することで、被覆樹脂の種類によっては軟化させる等して切削を行いやすくすることができる。また、被覆樹脂の種類によっては、加熱することで被覆樹脂が脆くなると考えられることから、切削を行った後、容易に光ファイバーの取出しを行うことができる。
【０１１２】
このため、本実施形態の光ファイバー取出し用装置が、加熱部を有することで、切削や、光ファイバーの取出し等をより容易に実施することが可能になり、好ましい。
【０１１３】
加熱部３５は切削部３３の近傍に配置しておくことが好ましいことから、上述のように切削室３６を設ける場合には、切削室３６内に設けることができる。
【０１１４】
なお、加熱部３５は、被覆樹脂２１のうち、少なくとも切削部３３が接している部分を加熱すれば足り、加熱する範囲は特に限定されない。例えば切削部３３を設置した切削室３６内全体を加熱する等より広い範囲を加熱できるように構成することもできる。
【０１１５】
以上に説明した本実施形態の光ファイバー取出し用装置は、上述のように位置調整部と切削部とを有している。そして、位置調整部により、被覆ＰＣ鋼撚り線の光ファイバーを配置した光ファイバー配置撚り溝が、切削部に対応した位置となるように調整するため、切削部により、光ファイバーを被覆する被覆樹脂を選択的、かつ容易に切削できる。このため、本実施形態の光ファイバー取出し用装置によれば、被覆ＰＣ鋼撚り線において、光ファイバーを被覆する樹脂を選択的に、かつ容易に除去することができる。
［光ファイバーの取出し方法］
次に、本実施形態の光ファイバーの取出し方法の一構成例について説明する。
【０１１６】
本実施形態の光ファイバーの取出し方法は、既述の光ファイバー取出し用装置を用いて実施することができる。このため、既に説明した事項については説明を一部省略する。
【０１１７】
本実施形態の光ファイバーの取出し方法は以下の工程を有することができる。
【０１１８】
被覆ＰＣ鋼撚り線を準備する被覆ＰＣ鋼撚り線準備工程。  
被覆ＰＣ鋼撚り線の長手方向の一方の端部を、被覆ＰＣ鋼撚り線の被覆樹脂を切削する切削部を備えた光ファイバー取出し用装置の導入口に導入する導入工程。
【０１１９】
導入口から導入された被覆ＰＣ鋼撚り線の、光ファイバーが配置された撚り溝である光ファイバー配置撚り溝が、切削部に対応した位置となるように、導入口と切削部との間に配置された位置調整部により調整する位置調整工程。
【０１２０】
切削部により、光ファイバー配置撚り溝に沿って被覆樹脂を切削する切削工程。
【０１２１】
なお、被覆ＰＣ鋼撚り線準備工程で準備する被覆ＰＣ鋼撚り線は、複数のＰＣ鋼線が撚り合わされたＰＣ鋼撚り線と、ＰＣ鋼撚り線の表面に撚り溝に沿って配置された光ファイバーと、被覆樹脂とを有することができる。そして、被覆樹脂は、ＰＣ鋼撚り線及び光ファイバーを被覆し、表面にＰＣ鋼撚り線の撚り溝に対応した溝部を備えている。
【０１２２】
各工程について以下に説明する。
（１）被覆ＰＣ鋼撚り線準備工程
被覆ＰＣ鋼撚り線準備工程は、既述の被覆ＰＣ鋼撚り線２０を準備する工程である。
【０１２３】
被覆ＰＣ鋼撚り線は、既述のように複数のＰＣ鋼線が撚り合わされたＰＣ鋼撚り線と、光ファイバーと、被覆樹脂とを有することができる。
【０１２４】
被覆樹脂は、既述のようにＰＣ鋼撚り線や、光ファイバーを外部環境から保護してＰＣ鋼撚り線の腐食を抑制する。被覆樹脂の材質は特に限定されないが、例えば耐食性に優れる樹脂を好ましく用いることができる。そのような樹脂としては、例えば、エポキシ樹脂、ポリエチレン樹脂などが挙げられる。特にエポキシ樹脂は耐食性能が高いものの、その反面除去することが困難であった。一方、本実施形態の光ファイバーの取出し方法によれば、被覆樹脂がエポキシ樹脂であっても容易に除去できることから、被覆樹脂は、エポキシ樹脂であることが好ましい。
【０１２５】
被覆ＰＣ鋼撚り線を構成するその他の各部材に関して、配置や、構成等については既に説明したため、ここでは説明を省略する。
【０１２６】
被覆ＰＣ鋼撚り線準備工程では、予め製造した被覆ＰＣ鋼撚り線を以下の導入工程等を実施するために、その配置等を準備する工程であっても良く、被覆ＰＣ鋼撚り線を製造する工程であっても良い。被覆ＰＣ鋼撚り線を製造する場合の手順については、被覆ＰＣ鋼撚り線において既に説明したため、ここでは説明を省略する。
（２）導入工程
導入工程では、図３に示した切削部３３を備えた光ファイバー取出し用装置３０の導入口３１に、光ファイバー付き被覆ＰＣ鋼撚り線を導入することができる。導入口３１は、既述の様に光ファイバー取出し用装置３０に既述の被覆ＰＣ鋼撚り線２０を導入するための開口部となっている。導入口３１の構成は特に限定されず、被覆ＰＣ鋼撚り線を導入できるように、そのサイズ、形状を選択することができる。例えば円形形状の開口部とすることができ、その直径は、被覆ＰＣ鋼撚り線２０の長手方向と垂直な断面における、被覆ＰＣ鋼撚り線２０の外接円２０１（図２を参照）の直径よりも大きくなるように設定することができる。
（３）位置調整工程
位置調整工程では、導入口から導入された被覆ＰＣ鋼撚り線の光ファイバー配置撚り溝が、被覆樹脂を切削する切削部に対応した位置となるように導入口と切削部との間に配置された位置調整部により調整することができる。
【０１２７】
位置調整工程を実施することで、導入口から導入された被覆ＰＣ鋼撚り線の光ファイバー配置撚り溝を、被覆樹脂を切削する切削部に対応した位置となるように調整できる。このため、後述する切削工程において、光ファイバーを被覆する被覆樹脂を選択的、かつ容易に切削できる。
【０１２８】
位置調整部は、導入口から導入された被覆ＰＣ鋼撚り線の光ファイバー配置撚り溝が、被覆樹脂を切削する切削部に対応した位置となるように調整できればよく、その具体的な構成は特に限定されるものではない。位置調整部３２は例えば、図４を用いて説明したように、被覆ＰＣ鋼撚り線２０の、被覆樹脂２１の溝部２２に接するガイド部材４２を有することができる。
【０１２９】
被覆ＰＣ鋼撚り線２０の溝部２２は、ＰＣ鋼撚り線１１の表面の撚り溝１４に対応した位置に形成されている。このため、被覆ＰＣ鋼撚り線２０の溝部２２は、撚り溝１４と同様に、中心軸Ａを中心とし、被覆ＰＣ鋼撚り線２０の長手方向に沿って延在した螺旋形状を有する。
【０１３０】
従って、ガイド部材４２が上記溝部２２に接した状態で、光ファイバー取出し用装置３０を被覆ＰＣ鋼撚り線２０の長手方向に移動させると、溝部２２の被覆ＰＣ鋼撚り線２０の外周での位置の変化に応じて、ガイド部材４２と接続された光ファイバー取出し用装置３０が回転する。具体的には図３に示したように中心軸Ａを回転軸として、被覆ＰＣ鋼撚り線２０の外接円の円周方向に沿って、すなわち図３中の両矢印３７のいずれかの向きに光ファイバー取出し用装置３０が回転する。このため、光ファイバー取出し用装置３０に設置された切削部３３の、被覆ＰＣ鋼撚り線２０と接する箇所も同様に、溝部２２に沿って移動することになる。
【０１３１】
そして、溝部２２は、被覆ＰＣ鋼撚り線２０の光ファイバーを配置した光ファイバー配置撚り溝１４Ａに沿って配置されている。このため、切削部３３が光ファイバー配置撚り溝を切削できるように位置を予め調整しておき、光ファイバー取出し用装置を上述のように移動させるのみで、光ファイバー配置撚り溝１４Ａを、切削部に対応した位置に調整できる。すなわち、切削部により被覆樹脂を切削する位置（切削位置）を光ファイバー配置撚り溝１４Ａの螺旋形状にあわせて移動させることができる。
【０１３２】
以上のように、位置調整部３２がガイド部材４２を有することで、容易に被覆ＰＣ鋼撚り線２０の光ファイバー配置撚り溝１４Ａを、切削部３３に対応した位置に調整することができるため好ましい。
【０１３３】
なお、ここでは光ファイバー取出し用装置を移動させる場合を例に説明したが、光ファイバー取出し用装置を固定しておき、被覆ＰＣ鋼撚り線２０を、光ファイバー取出し用装置の導入口３１から取出し口３４に向かって搬送し、移動させてもよい。この場合、被覆ＰＣ鋼撚り線の溝部２２にガイド部材が接しているため、被覆ＰＣ鋼撚り線２０は、中心軸Ａを回転軸として、被覆ＰＣ鋼撚り線２０の外接円２０１の円周方向、すなわち図３中の両矢印３７のいずれかの向きに回転する。このため、切削部３３が光ファイバー配置撚り溝１４Ａに沿って、被覆樹脂を切削できるように位置を予め調整しておき、被覆ＰＣ鋼撚り線２０を上述のように移動させるのみで、光ファイバー配置撚り溝１４Ａを切削部３３に対応した位置に調整できる。
【０１３４】
ガイド部材４２は、位置調整部３２に供給された被覆ＰＣ鋼撚り線２０の溝部２２に接するように配置すればよく、位置調整部３２におけるガイド部材４２の配置場所は特に限定ない。
【０１３５】
位置調整部３２は、例えば導入口３１と、切削部３３が配置された切削室３６との間を接続し、その内部に被覆ＰＣ鋼撚り線２０を通す連通孔４１を有することができる。そして、ガイド部材４２は、連通孔４１の内壁に固定しておくことができる。なお、図４では連通孔４１の断面形状を円形としているが、被覆ＰＣ鋼撚り線２０を通すことができるようにそのサイズ、形状を選択しておけばよく、係る形状に限定されるものではない。例えば、連通孔４１の断面形状を四角形等他の形状とすることもできる。
【０１３６】
ガイド部材４２の数も特に限定されないが、光ファイバー取出し用装置や、被覆ＰＣ鋼撚り線を移動させた場合に、溝部２２の形状に沿って、光ファイバー取出し用装置や、被覆ＰＣ鋼撚り線を回転させ易いように複数個のガイド部材を設けることが好ましい。
【０１３７】
例えば、図４に示すように連通孔４１内の対向する位置に２個のガイド部材４２を配置することができる。また、３個以上のガイド部材を配置することもできる。
【０１３８】
なお、ここでは、Ｂ−Ｂ´線の断面でのガイド部材の配置例を示しているが、図３中の被覆ＰＣ鋼撚り線２０の長手方向に沿って、複数個のガイド部材を配置することもできる。
【０１３９】
ガイド部材４２は形状や、構造は特に限定されず、被覆ＰＣ鋼撚り線２０の被覆樹脂の溝部２２に接するように選択することができる。ガイド部材４２は、例えば板状体や、棒状体、球状体等とすることができる。
【０１４０】
ただし、ガイド部材４２は、位置調整部３２に導入された被覆ＰＣ鋼撚り線２０の長手方向と垂直な断面において、被覆ＰＣ鋼撚り線２０の外接円２０１の直径方向に沿って伸縮できることが好ましい。
【０１４１】
図４に示したガイド部材４２の場合、被覆ＰＣ鋼撚り線２０の外接円２０１の直径方向に当たる、図中に示した両矢印４３に沿って伸縮可能に構成されていることが好ましい。溝部２２は被覆樹脂の表面であるため微細な凹凸を含む場合がある。このため、ガイド部材４２を上述のように伸縮可能に構成することで、係る凹凸に追従することができ、光ファイバー取出し用装置、または被覆ＰＣ鋼撚り線を移動させる際に、係る凹凸による抵抗を低減し、容易に移動させることができるからである。
【０１４２】
ガイド部材４２を伸縮可能な部材とする場合、ガイド部材はボールプランジャとすることが好ましい。
【０１４３】
ボールプランジャは、図４に示したようにコイルばね４２１と、先端に設けられたボール４２２とを備えた構造を有する。ボールプランジャは、先端部がボール４２２であり、さらにその位置をコイルばね４２１により変位させることができるため、溝部２２の微細な凹凸に特に追従し易くなり好ましい。
（４）切削工程
切削工程では、切削部により、光ファイバー配置撚り溝に沿って被覆樹脂を切削することができる。
【０１４４】
既述のように、位置調整工程において導入口から導入された被覆ＰＣ鋼撚り線の光ファイバー配置撚り溝を、被覆樹脂を切削する切削部に対応した位置となるように調整している。このため、切削工程では、位置調整工程で調整された位置において切削部により被覆ＰＣ鋼撚り線の光ファイバーを被覆している被覆樹脂を切削できる。
【０１４５】
切削工程において、被覆ＰＣ鋼撚り線の長手方向における被覆樹脂を切削する範囲（長さ）は特に限定されない。例えば被覆ＰＣ鋼撚り線の長手方向の一方の端部から、取出した光ファイバーを接続する機器等により要求される光ファイバーの長さに対応した範囲に渡って被覆樹脂の切削を行うことができる。
【０１４６】
切削工程で用いる切削部３３は、被覆樹脂を切削できる部材であれば良く、その具体的な構成は特に限定されるものではない。切削部としては、既述のように螺旋形状を有する光ファイバー配置撚り溝１４Ａに沿って連続的に被覆樹脂を切削できる部材であることが好ましく、例えば回転工具や、彫刻刀などを好適に用いることができる。切削部として彫刻刀を用いる場合、より容易に被覆樹脂を切削できるように彫刻刀に振動を加える振動機構も併せて有することが好ましい。
【０１４７】
切削部は特に回転工具を有することが好ましい。これは、回転工具は切削能力が高く、特に容易に被覆樹脂を除去できるからである。
【０１４８】
回転工具としては特に限定されないが、例えばエンドミル、ドリル、回転刃、及び砥石から選択された１種類以上を好ましく用いることができる。これらの回転工具は比較的容易に入手することができ、また切削能力が高いため容易に被覆樹脂を除去できるからである。
【０１４９】
エンドミル等や、切削部の好適な形状については既に説明したため、ここでは説明を省略する。
【０１５０】
なお、既述のように切削部３３は、例えばエンドミルと砥石とのように、２以上の切削工具を組み合わせて用いることもできる。この場合、切削工程では複数の切削工具により被覆樹脂を切削することになる。
【０１５１】
切削工程を終えた後、光ファイバー取出し用装置３０の取出し口３４から被覆ＰＣ鋼撚り線２０を取出すことができる。そして、光ファイバー周辺の被覆樹脂が十分に除去できている場合には、例えば後述する、被覆ＰＣ鋼撚り線の光ファイバーを、光ファイバー配置撚り溝から取出す、取出し工程を実施することもできる。
【０１５２】
取出し工程を実施する場合、光ファイバー１５は、被覆ＰＣ鋼撚り線２０の一方の端部から、該光ファイバーを接続する機器等により要求される長さに対応した範囲分だけ取出すことが好ましい。
【０１５３】
本実施形態の光ファイバー取出し方法は、上述の被覆ＰＣ鋼撚り線準備工程、導入工程、位置調整工程、切削工程以外にも任意の工程を有することができる。
（５）第１加熱工程
本実施形態の光ファイバー取出し方法は、例えば以下の第１加熱工程を有することができる。
【０１５４】
第１加熱工程では、被覆ＰＣ鋼撚り線の長手方向の一方の端部側を加熱することができる。
【０１５５】
このように、被覆ＰＣ鋼撚り線の一方の端部側を加熱することで、被覆樹脂の種類にもよるが、被覆樹脂を軟化させたり、脆くさせることができると考えられる。このため、第１加熱工程実施後、被覆ＰＣ鋼撚り線から、光ファイバーの取出しを特に容易に行うことができる。
【０１５６】
第１加熱工程において加熱する温度は特に限定されず、例えば被覆樹脂の種類や、光ファイバーの耐熱温度等に応じて選択することができる。
【０１５７】
第１加熱工程においては、被覆ＰＣ鋼撚り線の一方の端部側を加熱すれば足り、加熱する範囲は特に限定されない。ただし、第１加熱工程は、加熱によって、被覆樹脂の軟化や、脆化等、被覆樹脂の状態に変化を与え、光ファイバーを取出し易くすることを目的として実施している。このため、加熱後に被覆ＰＣ鋼撚り線の光ファイバーが取出し易くなるようにその加熱範囲を選択することが好ましい。
【０１５８】
第１加熱工程では、第１加熱工程の後、特に容易に光ファイバーを取出せるように、被覆ＰＣ鋼撚り線のうち、少なくとも本実施形態の光ファイバー取出し方法により、被覆ＰＣ鋼撚り線から取出す光ファイバーの部分が収容された領域を加熱することが好ましい。
【０１５９】
例えば、被覆ＰＣ鋼撚り線の長手方向における加熱範囲は、少なくとも被覆ＰＣ鋼撚り線の長手方向の一方の端部から、本実施形態の光ファイバー取出し方法により被覆ＰＣ鋼撚り線から取り出す光ファイバーの長さに対応した位置までとすることが好ましい。なお、本実施形態の光ファイバー取出し方法により被覆ＰＣ鋼撚り線から取出す光ファイバーの長さは、例えば取出した光ファイバーを接続する機器等に要求される光ファイバーの長さとすることができる。
【０１６０】
また、被覆ＰＣ鋼撚り線の周面方向における加熱範囲は、例えば少なくとも光ファイバーを配置した光ファイバー配置撚り溝を覆う被覆樹脂部分を含む範囲とすることが好ましい。
【０１６１】
ただし、光ファイバー配置撚り溝を覆う被覆樹脂部分や、その近傍のみを加熱した場合、周辺の温度等によっては光ファイバーを覆う部分の被覆樹脂を目的の温度まで加熱できない可能性もある。このため、被覆ＰＣ鋼撚り線の周面方向の加熱範囲は、被覆ＰＣ鋼撚り線の周面（外周面）全体とすることがより好ましい。
【０１６２】
なお、被覆ＰＣ鋼撚り線の周面方向とは、被覆ＰＣ鋼撚り線の長手方向と垂直な断面における、被覆ＰＣ鋼撚り線の外接円の円周方向と言うこともできる。
【０１６３】
加熱手段としては特に限定されないが、例えば電熱線ヒーター等の抵抗加熱装置や、ランプ、誘電加熱装置等から選択された１種類以上を用いることができる。加熱範囲を加熱する際、該加熱範囲を複数の領域に分けて、分割した領域毎に加熱することもできる。また、加熱範囲全体を一度に加熱することもできる。
【０１６４】
なお、第１加熱工程は、例えば既述の導入工程、位置調整工程、切削工程を実施する前に行うこともできるが、第１加熱工程を実施すると、被覆樹脂の状態等が変化し、位置調整工程等の実施が困難になる恐れがある。このため、切削工程を実施した後の被覆ＰＣ鋼撚り線に対して、実施することが好ましい。
【０１６５】
また、本実施形態の光ファイバー取出し方法に供する、被覆ＰＣ鋼撚り線の被覆の厚さ等によっては、既述の切削工程等による被覆樹脂の切削を実施せず、第１加熱工程を実施するのみで光ファイバーを容易に取出せる場合もある。このため、本実施形態の光ファイバー取出し方法は、例えば既述の導入工程、位置調整工程、切削工程を実施せず、被覆ＰＣ鋼撚り線準備工程と、第１加熱工程とを有する構成とすることもできる。この様に光ファイバー取出し方法が、被覆ＰＣ鋼撚り線準備工程と、第１加熱工程とを有し、既述の導入工程、位置調整工程、及び切削工程を実施しない場合でも、必要に応じてさらに以下の各任意の工程を実施することもできる。
（６）亀裂導入工程
本実施形態の光ファイバー取出し方法は、例えば以下の亀裂導入工程を有することができる。
【０１６６】
亀裂導入工程では、被覆ＰＣ鋼撚り線２０の長手方向の一方の端部のうち、光ファイバー配置撚り溝１４Ａに隣接する隣接撚り溝１４Ｂに押圧部材によって圧力を加えることができる。より具体的には、隣接撚り溝１４Ｂを構成する２本のＰＣ鋼線１１１Ｂ間に押圧部材により圧力を加えることができる。これにより、隣接撚り溝１４Ｂを形成する２本のＰＣ鋼線１１１Ｂ間に配置された被覆樹脂２１に亀裂を生じさせることができる。
【０１６７】
なお、光ファイバー配置撚り溝１４Ａに隣接する隣接撚り溝とは、被覆ＰＣ鋼撚り線２０の長手方向と垂直な断面において、被覆ＰＣ鋼撚り線の外接円２０１の円周方向に沿って隣接する撚り溝を意味する。
【０１６８】
また、被覆ＰＣ鋼撚り線２０の長手方向と垂直な断面において、被覆ＰＣ鋼撚り線の外接円２０１の円周方向に沿って、光ファイバー配置撚り溝１４Ａに隣接する隣接撚り溝としては、図２に示すように隣接撚り溝１４Ｂと、隣接撚り溝１４Ｃとの２つがある。そして、押圧部材により圧力を加えるのは、上記隣接撚り溝１４Ｂに限定されず、隣接撚り溝１４Ｂ、隣接撚り溝１４Ｃのいずれであってもよい。
【０１６９】
既述の切削工程を実施することで、光ファイバーを被覆する被覆樹脂を除去することができる。このため、被覆樹脂の残量等によっては、切削工程終了後、光ファイバーを取出すこともできる。ただし、切削工程のみでは被覆樹脂が光ファイバーの周辺に残存しているため、光ファイバーの取出しが容易ではない場合がある。
【０１７０】
そこで、上述の亀裂導入工程を実施し、光ファイバー配置撚り溝１４Ａを形成する２本のＰＣ鋼線１１１Ｂのうち、１本のＰＣ鋼線１１１Ｂを固定する被覆樹脂２１と、該ＰＣ鋼線１１１Ｂとの間に亀裂を入れることが好ましい。
【０１７１】
また、既述の第１加熱工程を行った被覆ＰＣ鋼撚り線に対して、上述の亀裂導入工程を実施することにより光ファイバーを特に取出し易くすることもできる。
【０１７２】
本発明の発明者らの検討によれば、係る亀裂を入れることで、光ファイバー配置撚り溝１４Ａを形成する２本のＰＣ鋼線１１１Ｂのうち、１本のＰＣ鋼線１１１Ｂの周辺の被覆樹脂に亀裂が入り、光ファイバーを取出し易くできる。
【０１７３】
また、係る１本のＰＣ鋼線１１１Ｂの撚りを容易に解くことが可能になる。このため、後述する撚り解き・取出し工程を実施することで、該１本のＰＣ鋼線１１１Ｂの撚りを解いた際に同時に光ファイバー１５を取出すことが可能になる。または該１本のＰＣ鋼線１１１Ｂの撚りを解いた後、光ファイバー１５を特に容易に取出すことが可能になる。
【０１７４】
亀裂工程で用いる押圧部材は、隣接撚り溝１４Ｂ（１４Ｃ）を形成する２本のＰＣ鋼線１１１Ｂの間に圧力を加えられる部材であればよく、その形状等は特に限定されるものではない。押圧部材は、隣接撚り溝１４Ｂ（１４Ｃ）に挿入する一方の端部が先細りした形状を有することが好ましい。具体的には、例えば図１０に示した押圧部材１００のように、一方の端部１００Ａが先細りしたピン形状、もしくは図１１に示した押圧部材１１０のように、幅を有し、一方の端部１１０Ａが先細りした刃物形状を有することができる。
【０１７５】
このように、押圧部材が、隣接撚り溝１４Ｂ（１４Ｃ）に挿入する一方の端部が先細りしたピン形状や刃物形状を有することで、他方の端部に力を加えた際に、より大きな圧力を加えることが可能になり、特に亀裂を生じやすくなり好ましい。
【０１７６】
なお、図１０に示した押圧部材１００の他方の端部１００Ｂ、及び図１１に示した押圧部材１１０の他方の端部１１０Ｂの形状は特に限定されない。例えば図１０、図１１に示したように押圧部材１００、１１０の他方の端部１００Ｂ、１１０Ｂは平坦面とし、押圧部材に力を加えた場合に、力を受けやすいように構成できる。
（７）取出し工程
本実施形態の光ファイバー取出し方法は、例えば以下の取出し工程を有することもできる。
【０１７７】
取出し工程では、被覆ＰＣ鋼撚り線の光ファイバーを、光ファイバー配置撚り溝から取出すことができる。
【０１７８】
取出し工程は、例えば既述の切削工程の後や、第１加熱工程の後、亀裂導入工程の後に実施することができる。切削工程を実施することで、光ファイバー周辺の被覆樹脂を低減することができる。このため、切削工程の後、取出し工程を実施することで、容易に光ファイバーを取出すことができる。
【０１７９】
第１加熱工程を実施することで、被覆樹脂の軟化や、脆化等、加熱による被覆樹脂の状態等に変化を与え、光ファイバーを取出し易くすることができる。このため、第１加熱工程を実施した後に取出し工程を実施することで、特に容易に光ファイバーを取出すことができる。
【０１８０】
亀裂導入工程を実施することで、例えば光ファイバー配置撚り溝１４Ａを形成する２本のＰＣ鋼線１１１Ｂのうち、１本のＰＣ鋼線１１１Ｂを固定する被覆樹脂２１と、該ＰＣ鋼線１１１Ｂとの間に亀裂を入れることができる。そして、係る亀裂を入れることで、光ファイバー配置撚り溝１４Ａを形成する２本のＰＣ鋼線１１１Ｂのうち、１本のＰＣ鋼線１１１Ｂの周辺の被覆樹脂に亀裂が入り、光ファイバーを特に取出し易くできる。このため、亀裂導入工程を実施した後に取出し工程を実施することで、特に容易に光ファイバーを取出すことができる。
【０１８１】
取出し工程において、光ファイバーを取出す具体的な手段は特に限定されない。例えば被覆ＰＣ鋼撚り線の一方の端部において、光ファイバー配置撚り溝内の光ファイバーとＰＣ鋼撚り線との間に、彫刻刀等の先端が鋭利な工具を挿入し、光ファイバーを被覆樹脂から剥離して取出すことができる。
【０１８２】
取出し工程を実施する場合、光ファイバー１５は、被覆ＰＣ鋼撚り線２０の一方の端部から、該光ファイバーを接続する機器等により要求される長さに対応した範囲分だけ取出すことが好ましい。
（８）撚り解き・取出し工程
本実施形態の光ファイバーの取出し方法は、ＰＣ鋼線の撚りを解き、光ファイバーを取出す撚り解き・取出し工程をさらに有することもできる。
【０１８３】
撚り解き・取出し工程では、光ファイバー配置撚り溝１４Ａと、隣接撚り溝１４Ｂ（１４Ｃ）との間に位置する１本のＰＣ鋼線１１１Ｂについて、被覆ＰＣ鋼撚り線の一方の端部側の撚りを解き、光ファイバー配置撚り溝１４Ａに配置された光ファイバー１５を取出すことができる。
【０１８４】
上述の切削工程や、場合によってはさらに第１加熱工程や、亀裂導入工程を実施するのみで、光ファイバー１５を取出すこともできる。ただし、光ファイバー１５への被覆樹脂２１の被覆の程度等によっては容易に光ファイバー１５を取出せない場合がある。
【０１８５】
そこで、撚り解き・取出し工程を実施し、まず上述のように光ファイバー配置撚り溝１４Ａと、隣接撚り溝１４Ｂ（１４Ｃ）との間に位置する１本のＰＣ鋼線１１１Ｂについて、被覆ＰＣ鋼撚り線の一方の端部側の撚りを解くことができる。この際、撚りを解いた１本のＰＣ鋼線１１１Ｂと共に光ファイバー１５を取出すことができる場合もある。また、１本のＰＣ鋼線１１１Ｂの撚りを解くことで、光ファイバー１５を固定する被覆樹脂を特に低減できるので、ＰＣ鋼線１１１Ｂの撚りを解いた後、容易に光ファイバー１５を取出すこともできる。
【０１８６】
撚り解き・取出し工程は、例えば切削工程の後や、第１加熱工程の後に実施することもできる。ただし、１本のＰＣ鋼線について、被覆ＰＣ鋼撚り線の一方の端部側の撚りを容易に解くことができるように、亀裂導入工程の後に実施することが好ましい。
【０１８７】
なお、撚り解き・取出し工程において、光ファイバー１５は、被覆ＰＣ鋼撚り線２０の一方の端部から、該光ファイバーを接続する機器等により要求される長さに対応した範囲分だけ取出すことが好ましい。また、ＰＣ鋼線１１１Ｂについても同様に、光ファイバーに要求される長さに対応した範囲分だけその撚りを解くことが好ましい。
（９）第２加熱工程
本実施形態の光ファイバーの取出し方法は、第２加熱工程をさらに有することもできる。
【０１８８】
第２加熱工程では、切削部が被覆樹脂２１を切削する際、被覆樹脂２１のうち少なくとも切削部３３が接している部分を加熱することができる。
【０１８９】
第２加熱工程では、被覆樹脂のうち少なくとも切削部が接している部分を加熱することで、被覆樹脂の種類によっては軟化させる等して切削を行いやすくすることができる。また、被覆樹脂の種類によっては、加熱することで被覆樹脂が脆くなると考えられることから、切削を行った後、容易に光ファイバーの取出しを行うことができる。
【０１９０】
このため、第２加熱工程を実施することで、切削や、光ファイバーの取出しをより容易に実施することが可能になり、好ましい。
【０１９１】
なお、第２加熱工程では、上述のように被覆樹脂２１のうち、少なくとも切削部３３が接している部分を加熱するため、既述の切削工程と、第２加熱工程とは同時に実施することができる。
【０１９２】
第２加熱工程において加熱する温度は特に限定されず、例えば被覆樹脂の種類や、光ファイバーの耐熱温度等に応じて選択することができる。
【０１９３】
また、第２加熱工程においては、上述のように被覆樹脂のうち少なくとも切削部が接している部分を加熱していれば足り、加熱する範囲は特に限定されない。例えば既述の光ファイバー取出し用装置３０の切削室３６内全体を加熱する等、より広い範囲に渡って加熱を行うこともできる。
【０１９４】
第２加熱工程において加熱を行う方法は特に限定されるものではなく、光ファイバー取出し用装置で既に説明した各種加熱部等を用いることができる。
【０１９５】
以上に説明した本実施形態の光ファイバーの取出し方法は、上述のように位置調整工程と切削工程とを有している。そして、位置調整工程により、被覆ＰＣ鋼撚り線の光ファイバーを配置した光ファイバー配置撚り溝が、切削部に対応した位置となるように調整するため、切削工程において切削部により、光ファイバーを被覆する被覆樹脂を選択的、かつ容易に切削できる。従って、本実施形態の光ファイバー取出し方法によれば、被覆ＰＣ鋼撚り線において、光ファイバーを被覆する樹脂を選択的に、かつ容易に除去することができる。そして、光ファイバーを被覆する樹脂を除去した後、光ファイバーを容易に取出すことができる。
【符号の説明】
【０１９６】
１０                        光ファイバー付きＰＣ鋼撚り線
１１                        ＰＣ鋼撚り線
１１１、１１１Ａ、１１１Ｂ  ＰＣ鋼線
１２                        凹部領域
１３                        内部空隙
１４                        撚り溝
１４Ａ                      光ファイバー配置撚り溝
１４Ｂ、１４Ｃ              隣接撚り溝
１５                        光ファイバー
１５１                      上端部
２０                        被覆ＰＣ鋼撚り線
２０１                      外接円
２１                        被覆樹脂
２１１                      外周部
２１２                      充填部
２２                        溝部
３０                        光ファイバー取出し用装置
３１                        導入口
３２                        位置調整部
３３                        切削部
３３１                      最先端部
３４                        取出し口
３５                        加熱部
３６                        切削室
３７、４３                  両矢印
４１                        連通孔
４２                        ガイド部材
４２１                      コイルばね
４２２                      ボール
５０                        エンドミル
５１                        先端刃
５２                        中心軸
６０                        ドリルビット
６１                        先端刃
６２                        中心軸
７０                        回転刃
７１                        刃
７２                        回転穴
８０                        砥石
８１                        側面
８２                        回転穴
９１                        隙間
１００、１１０              押圧部材
１００Ａ、１１０Ａ          一方の端部
１００Ｂ、１１０Ｂ          他方の端部
Ａ                          中心軸
Ｌ                          共通接線
【図１】
2019101267.tif 000003
【図２】
2019101267.tif 000004
【図３】
2019101267.tif 000005
【図４】
2019101267.tif 000006
【図５】
2019101267.tif 000007
【図６】
2019101267.tif 000008
【図７】
2019101267.tif 000009
【図８】
2019101267.tif 000010
【図９】
2019101267.tif 000011
【図１０】
2019101267.tif 000012
【図１１】
2019101267.tif 000013